(57)【要約】【課題】検針時の視認性を向上させることができる水道メータを提供する。【解決手段】流量計測部を内蔵し上方に開口した下ケースと、下ケースの開口を塞ぐように下ケースに嵌めこまれるレジスターボックスと、雌ネジ部を有し下ケースの開口の外周面に形成された雄ネジ部に螺合してレジスターボックスを下ケースの開口の上端面に押圧して固定する上ケースと、レジスターボックス内に回転可能に収容され流量計測部で計測される積算流量を表示する指示ユニットと、指示ユニットをレジスターボックス内で保持し上ケースの外周面に回転可能に嵌め込まれたカバーと、を備えた。【選択図】図８
2018189451.tif 000002
【特許請求の範囲】
【請求項１】
流量計測部を内蔵し上方に開口した下ケースと、
前記下ケースの開口を塞ぐように前記下ケースに嵌めこまれるレジスターボックスと、
雌ネジ部を有し前記下ケースの前記開口の外周面に形成された雄ネジ部に螺合して前記レジスターボックスを前記下ケースの前記開口の上端面に押圧して固定する上ケースと、
前記レジスターボックス内に回転可能に収容され前記流量計測部で計測される積算流量を表示する指示ユニットと、
前記指示ユニットを前記レジスターボックス内で保持し前記上ケースの外周面に回転可能に嵌め込まれたカバーと、を備えた、
ことを特徴とする水道メータ。
【請求項２】
前記指示ユニットは、歯車列で回転駆動される数字車を含む指示機構部と、上方に開口する有底の凹部に前記指示機構部を収容し前記開口の周縁に外側に向けて延びる鍔部を有する下台板と、前記下台板の上部に配置された上台板と、前記上台板を覆い前記下台板の前記鍔部に溶着された状態で前記支持機構部を封止するレンズキャップと、を有する、
ことを特徴とする請求項１に記載の水道メータ。
【請求項３】
前記レンズキャップは、環状オレフィン共重合樹脂を主成分とする合成樹脂で形成され、前記上台板と対向する領域の外側面は上方に凸のＲ形状である、
ことを特徴とする請求項２に記載の水道メータ。
【請求項４】
前記下台板は、前記凹部の中央部が断面視で下方に突出した窪みを有し、前記流量計量部に配置された羽根車の回転に応じて回転するように磁気的に前記羽根車に結合されているマグネット歯車を前記窪みに回転可能に収容する、
ことを特徴とする請求項２に記載の水道メータ。
【請求項５】
前記窪みの中央部に、前記マグネット歯車を回転自在に支持する回転支持軸が前記窪みの底面から上方に向かって立設されている、
ことを特徴とする請求項４に記載の水道メータ。
【請求項６】
前記指示機構部は、歯車列で回転駆動される数字車を含み、前記数字車は回転軸線が断面視で前記下台板の中心軸線で区画される前記凹部の一方の領域に位置し、外周面の一端が前記凹部の他方の領域に位置している、
ことを特徴とする請求項４に記載の水道メータ。
【発明の詳細な説明】
【技術分野】
【０００１】
本発明は、水道メータに関する。
【背景技術】
【０００２】
流量計測部を内蔵した下ケースの上部内側に受圧板をシール部材を介して載置した後、下ケースの上部内側に刻設した雌ねじ部に受圧板固定リングを螺着して該受圧板固定リングにより受圧板を押圧固定し、受圧板上には積算流量表示部を回転可能に載置し、該積算流量表示部を保持するカバーを下ケースの外周に回転可能に嵌着し、該カバーが下ケースから外れないように該カバーの外周にカバー固定リングを嵌着した乾式水道メータが知られている（特許文献１）。
【０００３】
積算表示部における上台板の上部に文字板を配置し、該文字板の上部に透明なキャップを配置し、文字板の上面とキャップの下面の間の隙間を０．１ｍｍ〜０．３ｍｍの範囲に設定し、かつ、上台板に指示板嵌合穴を形成して該指示板嵌合穴に指示板を回転可能に嵌合した乾式水道メータも知られている（特許文献２）。
【先行技術文献】
【特許文献】
【０００４】
【特許文献１】特許第４１５６７３２号明細書
【特許文献２】特許第４３７７４７０号明細書
【発明の概要】
【発明が解決しようとする課題】
【０００５】
本発明は、検針時の視認性を向上させることができる水道メータを提供することを目的とする。
【課題を解決するための手段】
【０００６】
前記課題を解決するために、請求項１に記載の水道メータは、
流量計測部を内蔵し上方に開口した下ケースと、
前記下ケースの開口を塞ぐように前記下ケースに嵌めこまれるレジスターボックスと、
雌ネジ部を有し前記下ケースの前記開口の外周面に形成された雄ネジ部に螺合して前記レジスターボックスを前記下ケースの前記開口の上端面に押圧して固定する上ケースと、
前記レジスターボックス内に回転可能に収容され前記流量計測部で計測される積算流量を表示する指示ユニットと、
前記指示ユニットを前記レジスターボックス内で保持し前記上ケースの外周面に回転可能に嵌め込まれたカバーと、を備えた、
ことを特徴とする。
【０００７】
請求項２に記載の発明は、請求項１に記載の水道メータにおいて、
前記指示ユニットは、歯車列で回転駆動される数字車を含む指示機構部と、上方に開口する有底の凹部に前記指示機構部を収容し前記開口の周縁に外側に向けて延びる鍔部を有する下台板と、前記下台板の上部に配置された上台板と、前記上台板を覆い前記下台板の前記鍔部に溶着された状態で前記指示機構部を封止するレンズキャップと、を有する、
ことを特徴とする。
【０００８】
請求項３に記載の発明は、請求項２に記載の水道メータにおいて、
前記レンズキャップは、環状オレフィン共重合樹脂を主成分とする合成樹脂で形成され、前記上台板と対向する領域の外側面は上方に凸のＲ形状である、
ことを特徴とする。
【０００９】
請求項４に記載の発明は、請求項２に記載の水道メータにおいて、
前記下台板は、前記凹部の中央部が断面視で下方に突出した窪みを有し、前記流量計量部に配置された羽根車の回転に応じて回転するように磁気的に前記羽根車に結合されているマグネット歯車を前記窪みに回転可能に収容する、
ことを特徴とする。
【００１０】
請求項５に記載の発明は、請求項４に記載の水道メータにおいて、
前記窪みの中央部に、前記マグネット歯車を回転自在に支持する回転支持軸が前記窪みの底面から上方に向かって立設されている、
ことを特徴とする。
【００１１】
請求項６に記載の発明は、請求項４に記載の水道メータにおいて、
前記指示機構部は、歯車列で回転駆動される数字車を含み、前記数字車は回転軸線が断面視で前記下台板の中心軸線で区画される前記凹部の一方の領域に位置し、外周面の一端が前記凹部の他方の領域に位置している、
ことを特徴とする。
【発明の効果】
【００１２】
請求項１記載の発明によれば、指示ユニットが回転可能に収容されていない構成に比して、検針時に指示ユニットを見やすい方向に変更して視認性を向上させることができる。
【００１３】
請求項２に記載の発明によれば、指示ユニット内への水分の浸入を抑制することができる。
【００１４】
請求項３記載の発明によれば、レンズキャップへの汚れの付着を抑制することができる。
【００１５】
請求項４、５記載の発明によれば、下台板の内部スペースを拡大することができる。
【００１６】
請求項６記載の発明によれば、数字車を大型化して検針時の視認性を向上させることができる。
【図面の簡単な説明】
【００１７】
【図１】本実施形態に係る水道メータの全体構成を示す縦断面図である。
【図２】（ａ）は下ケースの平面図、（ｂ）は下ケースの縦断面図である。
【図３】（ａ）は上ケースの平面図、（ｂ）は上ケースの縦断面図である。
【図４】（ａ）は指示ユニットの外観を示す斜視図、（ｂ）は指示ユニットの内部構成を示す縦断面図である。
【図５】（ａ）は下台板の平面図、（ｂ）は下台板の縦断面図である。
【図６】（ａ）はレンズキャップの平面図、（ｂ）はレンズキャップの縦断面図である。
【図７】（ａ）はカバー及び蓋の平面図、（ｂ）はカバー及び蓋の縦断面図である。
【図８】本実施形態に係る水道メータの組み立て方法を示す断面模式図である。
【図９】従来例の水道メータの全体構成を示す縦断面図である。
【図１０】複箱式水道メータの全体構成を示す縦断面図である。
【発明を実施するための形態】
【００１８】
次に図面を参照しながら、本発明の実施形態の具体例を説明するが、本発明は以下の実施形態に限定されるものではない。
尚、以下の図面を使用した説明において、図面は模式的なものであり、各寸法の比率等は現実のものとは異なることに留意すべきであり、理解の容易のために説明に必要な部材以外の図示は適宜省略されている。
【００１９】
（１）水道メータの構成
図１は水道メータ１の全体構成を示す縦断面図である。以下、図面を参照しながら、本実施形態に係る水道メータ１の全体構成と動作について説明する。
【００２０】
（１．１）水道メータの全体構成
水道メータ１は、両端に流入口１１および流出口１２が形成された流入部外箱としての下ケース１０を有し、流入口１１内にはストレーナＳが取り付けられている。
この下ケース１０の内部空間の下半部には流入口１１および流出口１２を有する計量室Ａが画成され、計量室Ａ内には、軸上部に駆動側マグネット２２を有する羽根車２０がピボット軸１４で回転自在に支持されている。
【００２１】
下ケース１０の内部空間の上半部には、レジスターボックス３０が、ガスケットＧ１を介して上ケース４０で押圧された状態で嵌め込まれ、羽根車２０の軸部２１の上端部が、レジスターボックス３０の下面の中央部に形成された凹部３１内に入り込んでいる。
【００２２】
レジスターボックス３０内には、計量室Ａと遮水した状態で歯車列からなる機械式の指示ユニット５０が収容されている。指示ユニット５０は、下台板５１、上台板５２、マグネット５４が装着されたマグネット歯車５３、歯車列５５（一部  不図示）、指針５６、数字車５７、レンズキャップ５８から構成されている。
そして、レジスターボックス３０の底壁３０ａを挟んでマグネット歯車５３のマグネット５４と羽根車２０の駆動側マグネット２２とが対向して、磁気的に結合（以下、マグネットカップリングＭと記す）されている。
【００２３】
指示ユニット５０上には、カバー６０が上ケース４０に回転可能に嵌め込まれて設けられ、カバー６０には、ピン６１により蓋６２が上下に開閉自在に取り付けられている。
【００２４】
（１．２）水道メータの動作
このように構成される水道メータ１は、その流入口１１および流出口１２が上流側の水道管および下流側の水道管（図示せず）に接続されて使用される。流入口１１から流入した水道水はストレーナＳで異物を取り除かれながら下ケース１０内に流入し、水量に応じて羽根車２０を回転させた後、流出口１２から下ケース１０外に流出する。
【００２５】
このとき、羽根車２０の回転はマグネットカップリングＭを介して指示ユニット５０へ伝達され、歯車列５５を介して指針５６を回し、また数字車５７を回転させて、指示ユニット５０で水道メータ１内を通過した水道水の積算流量値が表示される。
【００２６】
（２）指示ユニットの保持構造
図２（ａ）は下ケース１０の平面図、（ｂ）は下ケース１０の縦断面図、図３（ａ）は上ケース４０の平面図、（ｂ）は上ケース４０縦断面図、図４（ａ）は指示ユニット５０の外観を示す斜視図、（ｂ）は指示ユニット５０の内部構成を示す縦断面図、図５（ａ）は下台板５１の平面図、（ｂ）は下台板５１の縦断面図、図６（ａ）はレンズキャップ５８の平面図、（ｂ）はレンズキャップ５８の縦断面図、図７（ａ）はカバー６０及び蓋６２の平面図、（ｂ）はカバー６０及び蓋６２の縦断面図、図８は水道メータ１の組み立て方法を示す断面模式図である。
以下、図面を参照しながら指示ユニット５０の保持構造について説明する。
【００２７】
（２．１）下ケース
下ケース１０は、図２に示すように、内底部１３を有し上端が開口された円筒状の筒体として形成され、羽根車２０を収容する計量室Ａと、一方で計量室Ａに繋がる流入口１１と、他方で計量室Ａに繋がる流出口１２とが、一体として形成されている。
内底部１３の中心部には、雌ネジ部１３ａが形成され、ピボット軸１４のネジ部１４ａが螺合されてピボット軸１４が垂直に立設されている。
【００２８】
計量室Ａの上部の内面側には、レジスターボックス３０に設けられた鍔部３２を支持する支持段部１５が形成され、外面側には、上ケース４０が螺合される雄ネジ部１６が形成されている。
【００２９】
（２．２）上ケース
上ケース４０は、図３に示すように、中央部が開口した環状体として形成され、内面側には、下ケース１０の雄ネジ部１６に螺合する雌ネジ部４１が形成されている。上ケース４０の外面側には、カバー６０が嵌まり合う係合凸部４２が径方向に突出するように形成されている。
【００３０】
上ケース４０の上部には径方向で内側に延びる鍔部４３が形成されている。鍔部４３は、上ケース４０が雌ネジ部４１で下ケース１０の雄ネジ部１６に螺合されるときに、下ケース１０の上部開口から嵌め込まれたレジスターボックス３０の鍔部３２を上方から押圧してレジスターボックス３０を下ケース１０に固定する。
【００３１】
（２．３）指示ユニット
指示ユニット５０は、図４に示すように、指示機構部５１０を内部に収容する下台板５１と、下台板５１内で羽根車２０からマグネットカップリングＭで回転駆動力を受けて回転するマグネット歯車５３と、マグネット歯車５３の回転を指示機構部５１０に伝達する歯車列５５（図４（ｂ）において一部省略して示す）と、下台板５１の上部開口を塞ぎ指示機構部５１０の表示窓を有する上台板５２と、下台板５１に溶着されて指示機構部５１０を封止するレンズキャップ５８からなる。
【００３２】
下台板５１は、図５に示すように、上方に開口し指示機構部５１０を内部に収容する有底の凹部５１ａを有し、開口の周縁には外側に向けて延びる鍔部５１ｂが形成されている。
凹部５１ａの中央には断面視で下方に突出した窪み５１ｃが形成され、窪み５１ｃの中央部にはマグネット歯車５３を回転自在に支持する回転支持軸５１ｄが窪みの底面から上方に向かって立設されている。
凹部５１ａの一方の領域（図５において左側）には、歯車列５５で回転駆動される数字車５７の回転軸５７ａを支持する溝部５１ｅが設けられ、凹部５１ａの下部外側には、下方に突出する突起部５１ｆが形成されている（図５において右側）。
【００３３】
このように構成される下台板５１には、図４（ｂ）に示すように、マグネット歯車５３を回転可能に収容する窪み５１ｃが凹部５１ａの中央部で下方に突出するように形成されているために、マグネット歯車５３は凹部５１ａの底部から上方側に大きく突出することがなく、凹部５１ａの内部スペースＲ（図４（ｂ）中  破線で示すＲ領域）を拡大することができる。
そのために、凹部５１ａの一方の領域に設けられた溝部５１ｅで回転支持された数字車５７は、従来比、より大径化されてその外周面５７ｂの一端が凹部５１ａの他方の領域に位置するようになっている。これにより、数字車５７を大型化して検針時の視認性を向上させることができる。
【００３４】
レンズキャップ５８は、図６に示すように、全体が円形状の透明な蓋体であり、周縁には外側に向けて延びる鍔部５８ａが形成されている。鍔部５８ａの一面側には凸リブ５８ｂが円環状に設けられ、下台板５１の鍔部５１ｂと超音波溶着されて下台板５１内を水密に封止する。そのために、レンズキャップ５８の材料としては、環状オレフィン共重合樹脂を主成分とする合成樹脂が用いられ、水分の透過を抑制している。
【００３５】
レンズキャップ５８の上台板５２と対向する領域の外側面５８ｃは上方に凸のＲ形状に形成されている。そのために、レンズキャップ５８の外側面５８ｃへの汚れの付着を抑制して、検針時の視認性を向上させることができる。
【００３６】
（２．４）カバー
カバー６０は、図７に示すように、下部及び上部が開口した円筒状の筒体であり、上部の開口はピン６１で開閉自在に取り付けられた蓋６２で覆われている。
カバー６０の周壁内面には、係合爪６３が形成され、上ケース４０の外面側に形成された係合凸部４２に嵌まり合って上ケース４０に対して回転可能に装着される。カバー６０の周壁外面には、凸部６４が周方向に沿って形成され、上ケース４０に回転可能に装着されたカバー６０を回転させる際の手掛け部となる。
【００３７】
カバー６０の周壁部は内側に延出するように鍔部６５が形成され、鍔部６５の内面６５ａで指示ユニット５０の下台板５１に溶着されたレンズキャップ５８の鍔部５８ａの上面と接触することで、レジスターボックス３０に装着された指示ユニット５０を上ケース４０に圧接するようになっている。
【００３８】
また、鍔部６５の内面６５ａには凹部（不図示）が設けられ、レンズキャップ５８の鍔部５８ａの上面に設けられた突起（不図示）と嵌合して、指示ユニット５０に対しては相対的に回転不能に装着される。
これにより、カバー６０の周壁外面に設けられた凸部６４を手掛けにしてカバー６０を上ケース４０に対して回転させることで、指示ユニット５０がカバー６０と一体的に回転し、検針時に指示ユニット５０を見やすい方向に変更して視認性を向上させることができる。
【００３９】
（２．５）指示ユニットの組み込み
水道メータ１における指示ユニット５０の組み込みに際しては、まず、下ケース１０の内底部１３の中心部に立接されたピボット軸１４に羽根車２０を回転可能に挿入した状態で、レジスターボックス３０の鍔部３２でガスケットＧ１を挟み込んで下ケース１０にレジスターボックス３０を嵌合する。このとき、下ケース１０とレジスターボックス３０はピン３３（図８中  破線参照）で互いに回転不能に嵌合する。
【００４０】
次に、下ケース１０にレジスターボックス３０が嵌合した状態で、上ケース４０の雌ネジ部４１を下ケース１０の雄ネジ部１６に螺合してレジスターボックス３０の鍔部３２を上方からガスケットＧ１を介して押圧してレジスターボックス３０を下ケース１０に固定する。
【００４１】
そして、上ケース４０で下ケース１０に固定されたレジスターボックス３０に予め組み立てられた指示ユニット５０をレジスターボックス３０の上方からレジスターボックス３０に対して回転可能に挿入する。
レジスターボックス３０に挿入された指示ユニット５０は、下台板５１の下面に突出するように設けられた突起部５１ｆが、レジスターボックス３０の周壁内面に立設されたリブ３４に対して回転方向において相対するようにオーバーラップすることでレジスターボックス３０内でリブ３４と接触しない範囲（略３６０度）で回転可能になる。
【００４２】
次に、カバー６０をカバー６０の周壁内面に形成された係合爪６３が上ケース４０の外面側に形成された係合凸部４２に嵌まり合うように、鍔部６５で指示ユニット５０のレンズキャップ５８の鍔部５８ａを押圧しながら上ケース４０に装着する。
【００４３】
これにより、カバー６０は上ケース４０に対して回転可能に嵌合し、カバー６０の回転に伴って指示ユニット５０が上ケース４０に対して回転可能に保持される。その結果、指示ユニット５０は、カバー６０とともに回転し、下台板５１から下方に突出する突起部５１ｆが回転方向においてレジスターボックス３０のリブ３４に接触すると回転が停止する。
このように、下ケース１０に指示ユニット５０を保持するレジスターボックス３０を上ケース４０で押圧固定した状態で、カバー６０を回転させることで、カバー６０と相対的に回転不能に保持された指示ユニット５０を回転させることができる。
【００４４】
（３）水道メータの作用効果
本実施形態に係る水道メータ１は、羽根車２０を回転可能に支持した下ケース１０の開口を塞ぐレジスターボックス３０を、上ケース４０の雌ネジ部４１を下ケース１０の開口の外周面に形成された雄ネジ部１６にねじ込むことで下ケース１０に押圧固定する。
【００４５】
次に、レジスターボックス３０で遮水された状態で、指示ユニット５０をレジスターボックス３０に装着することで、指示ユニット５０はレジスターボックス３０内で回転可能に保持される。指示ユニット５０は、上ケース４０に対して回転可能に嵌合されるカバー６０で上ケース４０に圧接された状態でカバー６０の回転操作に伴って一体的に回転する。これにより、検針時に指示ユニット５０を見やすい方向に変更して視認性を向上させることができる。
【００４６】
図９には、従来例の水道メータ１Ａの構成を示している。水道メータ１Ａにおいては、指示ユニット５０Ａがレジスターボックス３０Ａ内でガラス板７０を介して上ケース４０Ａで押圧固定され回転不能に組み込まれている。また、従来例の水道メータ１Ａは、羽根車２０を回転可能に支持した下ケース１０は、本実施形態に係る水道メータ１と同様であり、開口の外周面に上ケース４０Ａの雌ネジ部４１と螺合する雄ネジ部１６が形成されている。
【００４７】
係る構成の従来例の水道メータ１Ａにおいては、下ケース１０をそのまま利用して、下ケース１０に本実施例に係るレジスターボックス３０を本実施形態に係る上ケース４０で押圧固定した状態で、本実施形態に係る指示ユニット５０をレジスターボックス３０に装着することで、指示ユニット５０はレジスターボックス３０内で回転可能に保持される。これにより、検針時に指示ユニット５０を見やすい方向に変更して視認性を向上させることができる。
【００４８】
本実施形態に係る水道メータ１の指示ユニット５０においては、下台板５１には、マグネット歯車５３を回転可能に収容する窪み５１ｃが凹部５１ａの中央部で下方に突出するように形成されている。これにより、マグネット歯車５３は凹部５１ａの底部から上方側に大きく突出することがなく、凹部５１ａの内部スペースＲを拡大することができる。
そのために、従来、凹部５１ａの一方の領域で回転支持された数字車５７は、その外周面５７ｂの一端が凹部５１ａの他方の領域に位置するように、従来比、より大径化され検針時の視認性を向上させることができる。
【００４９】
本実施形態に係る水道メータ１の指示ユニット５０においては、指示機構部５１０の表示窓を有する上台板５２の上方開口部は、環状オレフィン共重合樹脂を主成分とする合成樹脂からなるレンズキャップ５８が下台板５１に超音波溶着されて封止されている。そのために、外部から指示ユニット５０内への水分の透過と浸入を抑制して曇りを防止し検針時の視認性を向上させることができる。
また、レンズキャップ５８の外側面５８ｃは上方に凸のＲ形状に形成されている。そのために、レンズキャップ５８の外側面５８ｃへの汚れの付着を抑制して、検針時の視認性を向上させることができる。
【００５０】
以上、本発明に係る実施形態として下ケース１０が計量室Ａを兼ねている単箱式水道メータについて詳述したが、本発明は上記実施形態に限定されるものではなく、特許請求の範囲に記載された本発明の要旨の範囲内で種々の変更を行うことが可能である。
例えば、実施形態に係る水道メータ１は、単箱式水道メータのみならず、図１０に示すインナーケース１８を備えた複箱式水道メータ１Ｂにおいても適用することができる。
【符号の説明】
【００５１】
１、１Ａ・・・水道メータ
１０・・・下ケース
１１・・・流入口
１２・・・流入口
１３・・・内底部
１４・・・ピボット軸
１６・・・雄ネジ部
２０・・・羽根車
２２・・・駆動側マグネット
３０・・・レジスターボックス
４０・・・上ケース
４１・・・雌ネジ部
５０・・・指示ユニット
５１・・・下台板
５２・・・上台板
５３・・・マグネット歯車
５５・・・歯車列
５６・・・指針
５７・・・数字車
５８・・・レンズキャップ
６０・・・カバー
６２・・・蓋
Ａ・・・計量室
Ｓ・・・ストレーナ
Ｇ１・・・ガスケット
【図１】
2018189451.tif 000003
【図２】
2018189451.tif 000004
【図３】
2018189451.tif 000005
【図４】
2018189451.tif 000006
【図５】
2018189451.tif 000007
【図６】
2018189451.tif 000008
【図７】
2018189451.tif 000009
【図８】
2018189451.tif 000010
【図９】
2018189451.tif 000011
【図１０】
2018189451.tif 000012